(57)【特許請求の範囲】
【請求項１】
コイルの装着された巻枠に鉄心が取り付けられた電磁石と、前記コイルに印加される電圧に応じて前記鉄心に吸引され、または前記鉄心から離間される接極子とを有する電磁石装置と、
前記接極子の移動に伴って開閉動作する接点部とを備えた電磁継電器において、
前記接点部は、固定接点が各々配設された複数の固定接点部材と、前記固定接点に対向する可動接点が各々配設され、前記接極子の移動に伴って動作する複数の可動接点部材とを有し、
前記複数の固定接点部材と前記複数の可動接点部材とがそれぞれ電気的に接続されたプリント基板と、
前記プリント基板に電気的に接続され、外部電気部品に接続用の複数の接点用端子部と、
前記電磁石装置と前記接点部とを収容する筐体とをさらに備え、
前記筐体は、一端側に電磁継電器を取り付けるための取付部を有し、
前記接点用端子部は、前記筐体の他端側から外部に突出していることを特徴とする電磁継電器。
【請求項２】
請求項１に記載の電磁継電器において、
前記固定接点部材は、第１の固定接点が配設された第１の固定接点部材と第２の固定接点が配設された第２の固定接点部材とを有し、
前記可動接点部材は、第１の可動接点が配設された第１の可動接点部材と第２の可動接点が配設された第２の可動接点部材とを有し、
さらに前記接点用端子部は、前記プリント基板から突設された第１の接点用端子部と第２の接点用端子部とを有し、
前記プリント基板は、前記第１の固定接点と前記第１の可動接点および前記第２の固定接点と前記第２の可動接点がそれぞれ接触した時に、これら接点が前記第１の接点用端子部と前記第２の接点用端子部との間で直列に接続されるように端子接続回路を形成していることを特徴とする電磁継電器。
【請求項３】
請求項１に記載の電磁継電器において、
前記固定接点部材は、第１の固定接点が配設された第１の固定接点部材と第２の固定接点が配設された第２の固定接点部材とを有し、
前記可動接点部材は、第１の可動接点が配設された第１の可動接点部材と第２の可動接点が配設された第２の可動接点部材とを有し、
さらに前記接点用端子部は、前記プリント基板から突設された第１の接点用端子部と第２の接点用端子部とを有し、
前記プリント基板は、前記第１の固定接点と前記第１の可動接点および前記第２の固定接点と前記第２の可動接点がそれぞれ接触した時に、これら接点が前記第１の接点用端子部と前記第２の接点用端子部との間で並列に接続されるように端子接続回路を形成していることを特徴とする電磁継電器。
【請求項４】
請求項１〜３のいずれか１項に記載の電磁継電器において、
前記コイルは、前記プリント基板にそれぞれ電気的に接続された第１のコイルと第２のコイルとを有することを特徴とする電磁継電器。
【請求項５】
請求項４に記載の電磁継電器において、
前記プリント基板に電気的に接続され、前記コイルに電圧を印加するための第１のコイル用端子部と第２のコイル用端子部とをさらに有し、
前記プリント基板は、前記第１のコイル用端子部と前記第２のコイル用端子部との間で前記第１のコイルと前記第２のコイルとが直列または並列に接続されるように端子接続回路を形成していることを特徴とする電磁継電器。
【請求項６】
請求項１〜５のいずれか１項に記載の電磁継電器において、
前記固定接点と前記可動接点とが対向する方向に対して垂直方向に磁力を発生させる磁石をさらに備え、
前記磁石は、前記筐体の前記一端側に取り付けられることを特徴とする電磁継電器。
【請求項７】
請求項１〜６のいずれか１項に記載の電磁継電器において、
前記電磁石装置と前記接点部とを支持するベース部材をさらに備え、
前記複数の固定接点部材と前記複数の可動接点部材は、それぞれ前記ベース部材を貫通して前記プリント基板に接続されていることを特徴とする電磁継電器。
【請求項８】
請求項７に記載の電磁継電器において、
前記筐体は、前記ベース部材を支持する支持部を有することを特徴とする電磁継電器。
【請求項９】
請求項８に記載の電磁継電器において、
前記支持部は、前記電磁石装置および前記接点部を前記筐体の前記一端側に向けて前記ベース部材を支持し、
前記プリント基板は、前記ベース部材よりも前記筐体の他端側に配置されていることを特徴とする電磁継電器。
【請求項１０】
請求項１〜９のいずれか１項に記載の電磁継電器において、
前記筐体は、前記他端側に開口を有し、
該開口を塞ぐ蓋をさらに備え、
前記複数の接点用端子部は、前記蓋を貫通して外部に突出していることを特徴とする電磁継電器。
【発明の詳細な説明】
【技術分野】
【０００１】
本発明は、電磁継電器に関する。
【背景技術】
【０００２】
コイルの装着された巻枠に鉄心が取り付けられた電磁石と、コイルに印加される電圧に応じて移動する接極子と、接極子の移動に伴って開閉動作する接点部とを備える電磁継電器において、接点部として互いに対向する一対の固定接点と一対の可動接点とを有する電磁継電器が知られている（例えば特許文献１参照）。この特許文献１記載の電磁継電器では、導電板の両端部に可動接点を設け、電磁継電器の作動時に、各固定接点と各可動接点とが接触することにより、各可動接点を介して各固定接点同士が電気的に直列に接続されるようにしている。
【先行技術文献】
【特許文献】
【０００３】
【特許文献１】特開２０１０−７３３２３号公報
【発明の概要】
【発明が解決しようとする課題】
【０００４】
しかしながら、この種の電磁継電器においては、一対の板状の固定接点部材および一対の可動接点部材の一端部にそれぞれ固定接点および可動接点が、他端部に端子が設けられるため、端子配列を容易に変更することができない。
【課題を解決するための手段】
【０００５】
本発明は、コイルの装着された巻枠に鉄心が取り付けられた電磁石と、コイルに印加される電圧に応じて鉄心に吸引され、または鉄心から離間される接極子とを有する電磁石装置と、接極子の移動に伴って開閉動作する接点部とを備えた電磁継電器において、接点部は、固定接点が各々配設された複数の固定接点部材と、固定接点に対向する可動接点が各々配設され、接極子の移動に伴って動作する複数の可動接点部材とを有し、複数の固定接点部材と複数の可動接点部材とがそれぞれ電気的に接続されたプリント基板と、プリント基板に電気的に接続され、外部電気部品に接続用の複数の端子部と、電磁石装置と接点部とを収容する筐体とをさらに備え、筐体は、一端側に電磁継電器を取り付けるための取付部を有し、接点用端子部は、筐体の他端側から外部に突出していることを特徴とする。
【発明の効果】
【０００６】
本発明によれば、複数の固定接点部材と複数の可動接点部材と複数の端子部とをそれぞれプリント基板に接続するようにしたので、端子部の配列を容易に変更することができる。
【図面の簡単な説明】
【０００７】
【図１】本発明の実施の形態に係る電磁継電器の外観形状を示す斜視図である。
【図２】図１の分解斜視図である。
【図３】（ａ），（ｂ）はそれぞれ図２の電磁継電器本体の構成を示す斜視図である。
【図４】図２の一対の電磁継電器本体の筐体内への収容状態を示す斜視図である。
【図５】図２のプリント基板とタブ端子の構成を示す斜視図である。
【図６】図１の電磁継電器の内部構成を示す平面図（プリント基板を上方から見た図）である。
【図７】図６の第１の変形例を示す図である。
【図８】図６の第２の変形例を示す図である。
【図９】図６の第３の変形例を示す図である。
【図１０】本発明の実施の形態に係る電磁継電器の筐体に磁石を取り付けた例を示す図である。
【発明を実施するための形態】
【０００８】
以下、図１〜図１０を参照して本発明の実施の形態について説明する。図１は、本発明の実施の形態に係る電磁継電器の外観形状を示す斜視図であり、図２は、その分解斜視図である。なお、以下では、便宜上、図示のように前後左右方向および上下方向を定義し、これに従い各部の構成を説明する。
【０００９】
図２に示すように、本実施の形態に係る電磁継電器は、電磁継電器組立体１と、電磁継電器組立体１を収容する筐体２と、筐体２の上部を覆う蓋３とを備える。電磁継電器組立体１は、左右一対の電磁継電器本体４と、電磁継電器本体４の上方に配設されたプリント基板５と、プリント基板５の上面に上方に向けて突設されたタブ端子６とを有する。
【００１０】
筐体２は、一体成形により形成された電気絶縁材の樹脂部品であり、上面が開口された略ボックス形状を呈する。筐体２の下端部には、前後両端にフランジ部２０１が設けられ、筐体２はフランジ部２０１を介してねじ等により各種部品に取付可能である。筐体２の上部内側面には水平方向に全周にわたって段部２０２が設けられ、さらにその上方の前後内側面には水平方向に段部２０３が設けられている。筐体２の左右側面の上部には、上下方向に離間してそれぞれ略矩形状の貫通孔２０４、２０５が設けられている。
【００１１】
蓋３は、一体成形により形成された電気絶縁材の樹脂部品であり、略矩形の板形状を呈する。蓋３には、タブ端子６に対応した位置にそれぞれスリット孔３０１が開口され、蓋３の左右両端部には、下方に突出し、さらに左右外側に突出した突起部３０２が設けられている。スリット孔３０１にタブ端子６を貫通させ、突起部３０２を筐体２の上側貫通孔２０５に嵌入することで、図１に示すようにタブ端子６が蓋３から突出した状態で、筐体２の上面に蓋３が固定される。なお、後側のタブ端子６ａは電磁継電器のコイルに電圧を印加するためのコイル用タブ端子であり、前側のタブ端子６ｂは電磁継電器の接点に通電するための接点用タブ端子である。
【００１２】
図２の左右一対の電磁継電器本体４は互いに同一形状である。図３（ａ）は、一方の電磁継電器本体４を斜め下方から見た斜視図であり、図３（ｂ）は斜め上方から見た斜視図である。図３に示すように電磁継電器本体４は、ベース部１０と、ベース部１０に取り付けられる電磁石装置２０と、電磁石装置２０の作動に伴い開閉動作する接点部３０とを有する。
【００１３】
ベース部１０は、一体成形により形成された電気絶縁性の樹脂部品であり、全体が略矩形のブロック形状を呈し、電磁石装置２０と接点部３０とを支持するための支持部が形成されている。なお、支持部の詳細な説明は省略する。ベース部１０の周縁には、筺体２の内側の段部２０２（図２）に当接する段付き形状の端面１１が形成されている。さらにベース部１０の左右側面には、筐体２の下側貫通孔２０４（図２）に嵌入する突起部１２が設けられている。
【００１４】
電磁石装置２０は、コイル２１の装着された筒状の巻枠（不図示）に鉄心２２を挿入してなる電磁石２３と、コイル２１に印加される電圧に応じて鉄心２２に吸引され、または鉄心２２から離間される接極子２４とを有する。ベース部１０の後端部には、ベース部１０を上下方向に貫通して左右一対のコイル端子２５が設けられている。コイル端子２５の下端部には、コイル２１を形成する巻線の両端が接続され、コイル端子２５を介してコイル２１に電圧が印加される。
【００１５】
電磁石２３の巻枠はベース部１０の後部に設置され、鉄心２２は巻枠内に上下方向に向けて収容されている。接極子２４は、鉄等の軟磁性材により形成される略Ｌ字状の板状部材であり、鉄心２２の下端面に対向して配置された水平部２４ａと、水平部２４ａの前端からベース部１０に向けて略垂直に延びる垂直部２４ｂとを一体に有する。電磁石２３のコイル２１と接極子２４の垂直部２４ｂとの間には、接極子２４と略同一幅で上下方向に延在する略矩形状の継鉄２６が配置されている。継鉄２６はベース部１０に支持され、継鉄２６の下端面には揺動可能に接極子２４が支持されている。
【００１６】
接極子２４の垂直部２４ｂの前方にはカード２７が配置されている。カード２７は、電気絶縁材により形成された絶縁体であり、前後方向に延在する水平部２７ａと、水平部２７ａの後端から上下方向に延在する垂直部２７ｂと、垂直部２７ｂの左右両端から前方に延在する側壁部２７ｃとを一体に有する。水平部２７ａの後端部は、接極子２４の垂直部２４ｂに連結され、接極子２４の揺動に伴いカード２７は前後方向に移動する。
【００１７】
接点部３０は、カード２７の垂直部２７ｂの前方に配置された可動接点板部材３１と、可動接点板部材３１の前方に配置された固定接点板部材３２とを有する。固定接点板部材３１は、例えば銅板から所定形状に打ち抜いた導電板部材によって構成され、可動接点板部材３２は、例えばばね用燐青銅の薄板から所定形状に打ち抜いた導電板部材により構成されている。可動接点板部材３１および固定接点板部材３２は、左右方向に幅広に形成された板状部材であり、これらは略同一幅で上下方向に延設されている。カード２７の垂直部２７ｂと可動接点板部材３１、および可動接点板部材３１と固定接点板部材３２は互いに対向し、可動接点板部材３１は、その中央よりもやや下方においてカード２７の左右一対の側壁部２７ｃに連結されている。
【００１８】
可動接点板部材３１および固定接点板部材３２は、それぞれベース部１０に形成された支持部１３，１４により支持されている。なお、各板部材３１，３２の左右方向の幅は全長にわたって一定であるとは限らず、例えば支持部１３，１４内において拡大されている。可動接点板部材３１の下端部前面には導電性の可動接点３３が固設され、これに対向して固定接点板部材３２の下端部後面には導電性の固定接点３４が固設されている。
【００１９】
可動接点板部材３１の上端には可動端子３５が設けられ、固定接点板部材３２の上端には固定端子３６が設けられている。これら端子３５，３６は、各板部材３１，３２の上端部を細長に形成したものであり、ベース部１０を貫通してそれぞれ上方に突出している。端子３５，３６は、各板部材３１，３２の上端部の形状を適宜設定することで、ベース部１０の任意の位置から突出させることができる。図３（ｂ）に示すように、本実施の形態では、固定端子３６がベース部１０の左前端部から突出し、可動端子３５が固定端子３６の右斜め後方から突出している。
【００２０】
このような電磁継電器本体４において、電磁石２３のコイル２１に作動電圧が印加されると、電磁石装置２３が作動し、その磁気吸引力により接極子２５が継鉄２６の下端を支点に揺動する。この接極子２５の揺動によりカード２７が前方に押動され、可動接点板部材３１はベース部１０の支持部１３を支点に前方に弾性曲げ変形し、可動接点３３が固定接点３４に接触する。一方、コイル２１への作動電圧が解除されると、電磁石装置２３は非作動となり、可動接点板部材３１は前方への押付力から解放される。これにより可動接点板部材３１はその板ばねとしての機能により図３の初期位置に復帰し、可動接点３３が固定接点３４から離間する。
【００２１】
図４は、一対の電磁継電器本体４を筐体に収容する状態を示す斜視図である。筺体２の内側には、左右中央に前後方向にかけて隔壁２０６が設けられ、隔壁２０６により筺体２内が２つの収容空間２０７に区画されている。一対の電磁継電器本体４は、図示のように筺体２の上方からそれぞれ別々に各収容空間２０７に収容される。このとき、ベース部１０の端面１１が筺体２の段部２０２に当接するとともに、突起部１２が貫通孔２０４に嵌入し、電磁継電器本体４が筺体２内に支持される。電磁継電器本体４が収容された状態では、４本のコイル端子２５と２本の可動端子３５と２本の固定端子３６とがそれぞれ上方に突出している。
【００２２】
本実施の形態では、これらの端子２５，３５，３６が、ベース部１０の上方に配置されるプリント基板５に接続される。図５は、プリント基板５とタブ端子６の構成を示す斜視図である。プリント基板５は、電気絶縁材からなる略矩形の板状部材であり、左右側面にそれぞれ切り欠き５０が設けられている。タブ端子６（コイル用タブ端子６ａ、接点用タブ端子６ｂ）は、導電性の板部材により構成され、各タブ端子６の下端部には、それぞれプリント基板５に接続用の一対の接続部６ｃが形成されている。一対のコイル用タブ端子６ａは、プリント基板５の後端部に互いに対向して配置され、一対の接点用タブ端子６ｂはプリント基板の前端部に左右方向の同一直線上に配置される。
【００２３】
プリント基板５には、端子接続用の複数の貫通孔が穿設されている。すなわち、プリント基板５を左右の電磁継電器本体４に対応して２つの領域５Ｌ，５Ｒに分けて考えると、プリント基板５の左側領域５Ｌには、コイル端子２５の位置に対応した一対の貫通孔５１と、可動端子３５の位置に対応した貫通孔５３と、固定端子３６の位置に対応した貫通孔５５と、コイル用タブ端子６ａの接続部６ｃの位置に対応した一対の貫通孔５７と、接点用タブ端子６ｂの接続部６ｃの位置に対応した一対の貫通孔５９がそれぞれ設けられている。このうち、一対の貫通孔５７は、一対の貫通孔５１の間で左側の貫通孔５１に近接して設けられ、一対の貫通穴５９は、貫通孔５５の前方に貫通孔５５に近接して設けられている。
【００２４】
同様に、プリント基板５の右側領域５Ｒには、コイル端子２５の位置に対応した一対の貫通孔５２と、可動端子３５の位置に対応した貫通孔５４と、固定端子３６の位置に対応した貫通孔５６と、コイル用タブ端子６ａの接続部６ｃの位置に対応した貫通孔５８と、接点用タブ端子６ｂの接続部６ｃの位置に対応した一対の貫通孔６０がそれぞれ設けられている。このうち、一対の貫通孔５８は、一対の貫通孔５２の間で右側の貫通孔５２に近接して設けられ、一対の貫通孔６０は、貫通孔５６の前方に貫通孔５６に近接して設けられている。
【００２５】
これら貫通孔５１〜６０に対応し、プリント基板５の上面には、導電体により所定の回路パターンが形成されている。すなわち、左側の貫通穴５１と一対の貫通孔５７とを含む導電部６１、右側の貫通孔５２と一対の貫通孔５８とを含む導電部６２、貫通孔５５と一対の貫通孔５９とを含む導電部６３、貫通孔５６と一対の貫通孔６０とを含む導電部６４、右側の貫通孔５１と左側の貫通孔５２とを含む導電部６５、および貫通孔５３と貫通孔５４とを含む導電部６６がそれぞれ形成されている。このうち、導電部６６は、導電部６４から遠ざかるように後方に屈曲したパターンとされている。
【００２６】
プリント基板５を筐体２内に収容する場合には、予めタブ端子６がプリント基板５にはんだ付けされる。すなわち、各タブ端子６の接続部６ｃが貫通孔５７〜６０にそれぞれ挿入されてプリント基板５にはんだ付けされ、タブ端子６と一体化されたプリント基板５が筺体２内に収容される。プリント基板５が収容された状態では、プリント基板５の下面が筺体２の前後内側面の段部２０３に当接し、プリント基板５は、ベース部１０から離間した状態で筺体２内で支持される。このとき、コイル端子２５がプリント基板５の貫通孔５１，５２を、可動端子３５が貫通穴５３，５４を、固定端子３６が貫通孔５５，５６をそれぞれ貫通し、これら端子２５，３５，３６はプリント基板５の上面から突出する。
【００２７】
プリント基板５から突出した端子２５，３５，３６は、導電部６１〜６６にはんだ付けされ、端子接続回路が形成される。その後、筺体２の上方に蓋３が取り付けられる。この際、タブ端子６が蓋３のスリット孔３０１を貫通するとともに、蓋３の突起部３０２がプリント基板５の切り欠き部５０を通過し、筺体２の貫通孔２０５に嵌入される。以上で、電磁継電器（図１）が完成し、完成された電磁継電器のタブ端子６には、プリント基板等の外部電気部品が接続される。
【００２８】
本実施の形態に係る電磁継電器の主要な動作を説明する。図６は、筺体２内の電磁継電器組立体１（図２）を上方から見た図である。図中、５１ａ〜６０ａは、それぞれ貫通孔５１〜６０における端子のはんだ付け部（端子接続部）である。電磁継電器が非作動状態では、コイル用タブ端子６ａに電流は流れず、電磁石２３のコイル２１は非励磁状態となる。このため、可動接点３３は初期位置にあって固定接点３４から離間し、接点用タブ端子６ｂへの電気の流れが遮断される。
【００２９】
電磁継電器が作動状態になると、一方（例えば左方）のコイル用タブ端子６ａからプリント基板５の導電部６１、左側のコイル２１、導電部６５、右側のコイル２１、導電部６２および他方（右方）のコイル用タブ端子６ａへと、順次電流が流れる。すなわち、左右のコイル２１に対して直列に電流が流れる。これにより左右のコイル２１がそれぞれ励磁され、各接極子２４がそれぞれ電磁石２３の鉄心２２に吸引されて、左右の可動接点３３がそれぞれ固定接点３４に接触する。
【００３０】
その結果、一方（例えば左方）の接点用タブ端子６ｂからプリント基板５の導電部６３、左側の電磁継電器本体４の固定接点３４、この固定接点３４に接触する可動接点３３、導電部６６、右側の電磁継電器本体４の可動接点３３、この可動接点３３に接触する固定接点３４、導電部６４および他方（右方）のコイル用タブ端子６ｂへと、順次電流が流れる。すなわち、左右の電磁継電器本体４の接点３３，３４に対して直列に電流が流れる。
【００３１】
本実施の形態では、プリント基板５の回路パターンの設定を変更することにより、電磁継電器本体４の構成を変更することなく、タブ端子６の配列を容易に変更することができる。以下、この点について説明する。
【００３２】
図７は、タブ端子６の配列を変更した、図６の変形例（第１の変形例）を示す図である。図７では、左右のコイル用タブ端子６ａの端子接続部５７ａ，５８ａがそれぞれ端子接続部５１ａ，５２ａの前方に位置し、左側の接点用タブ端子６ｂの端子接続部５９ａが端子接続部５５ａの右方に位置し、右側の接点用タブ端子６ｂの端子接続部６０ａが端子接続部５６ａの前方に位置している。なお、コイル端子２５と可動端子３５と固定端子３６の端子接続部５１ａ〜５６ａの位置は図６と同一である。
【００３３】
図７の導電部７１は、左側の端子接続部５１ａと一対の端子接続部５７ａとを接続し、導電部７２は、右側の端子接続部５２ａと一対の端子接続部５８ａとを接続し、導電部７３は、端子接続部５５ａと一対の端子接続部５９ａとを接続し、導電部７５は、右側の端子接続部５１ａと左側の端子接続部５２ａとを接続するように形成されている。すなわち、導電部７１，７２，７３，７５は、図６の導電部６１，６２，６３，６５と基本的構成が同一である。
【００３４】
これに対し、導電部７４は、端子接続部５４ａと一対の端子接続部６０ａとを接続し、導電部７６は、端子接続部５３ａと端子接続部５６ａとを接続するように形成されている。これにより、図６と同様、プリント基板５を介して左右のコイル２１を直列に接続する回路が形成されるとともに、左右の電磁継電器本体４の接点３３，３４を直列に接続する回路が形成される。
【００３５】
本実施の形態によれば以下のような作用効果を奏することができる。
（１）タブ端子６の接続部６ｃをプリント基板５に接続するとともに、４本のコイル端子２５と一対の可動端子３５と一対の固定端子３６をそれぞれプリント基板５に接続し、プリント基板５により端子接続回路を形成するようにした。これによりコイル端子２５と可動端子３５と固定端子３６とを複数備えてなる電磁継電器において、電磁継電器本体４の構成を変更することなく、図６，７に示すようにタブ端子６の配列を容易に変更することができる。
（２）プリント基板５を介して一対の電磁継電器本体４の可動端子３５と固定端子３６を直列に接続するようにしたので、接点間隙を増加することができる。
（３）タブ端子６の形状を変更することなく、同一形状のタブ端子６を用いて端子配列を変更することができ、部品点数の増加を防ぐことができる。
【００３６】
（４）電磁継電器本体４のベース部１０を筐体２の段部２０２に当接するとともに、ベース部１０の突起部１２を筐体２の貫通孔２０４に嵌入して、電磁継電器本体４を筐体２により支持するようにしたので、プリント基板５の端子接続部にコイル２１の重力等による負荷が作用することを防止できる。
（５）突起部１２と貫通孔２０４とを用いることで、接着等の手段を用いることなく、電磁継電器本体４を筐体２に容易に固定できる。
（６）一対の電磁継電器本体４を筐体２内に収容した後、予めタブ端子６を固定したプリント基板５を電磁継電器本体４の上方に設置し、さらにコイル端子２５と可動端子３５と固定端子３６がプリント基板５から突出した状態で、各端子２５，３５，３６をプリント基板５にはんだ付けするようにしたので、電磁継電器の組立が容易である。
【００３７】
なお、上記実施の形態では、一対の可動接点板部材３１の可動端子（第１の可動接点部材、第２の可動接点部材）と一対の固定接点板部材３２の固定端子３６（第１の固定接点部材、第２の固定接点部材）をそれぞれプリント基板５に電気的に接続するとともに、一対の接点用タブ端子６ｂ（第１の接点用端子部、第２の接点用端子部）をプリント基板５に電気的に接続した。そして、一方（例えば左側）の固定接点板部材３２の固定接点３４（第１の固定接点）と可動接点板部材３１の可動接点３３（第１の可動接点）、および他方の固定接点板部材３１の固定接点３４（第２の固定接点）と可動接点板部材３１の可動接点３３（第２の可動接点）を直列に接続するような回路を形成したが、端子接続回路の構成は上述したものに限らない。
【００３８】
図８は、端子接続回路の変形例（図６の第２の変形例）を示す図である。図６と比較すると、図８では、接点用タブ端子６ｂの一対の端子接続部６０ａが端子接続部５３ａ，５４ａの左右方向中間かつやや後方に位置している。図８の導電部８１，８２，８５は、それぞれ図６の導電部６１，６２，６５と同様に形成されている。これに対し、導電部８３は、左右の固定端子３６がそれぞれ接続される端子接続部５５ａ，５６ａと接点用タブ端子６ｂの一対の端子接続部５９ａとを互いに接続し、導電部８４は、左右の可動端子３５がそれぞれ接続される端子接続部５３ａ，５４ａと接点用タブ端子６ｂの一対の端子接続部６０ａとを互いに接続するように形成されている。
【００３９】
これにより電磁継電器が作動状態になると、一方（例えば左方）の接点用タブ端子６ｂからプリント基板５の導電部８３、左右の電磁継電器本体４の固定接点３４、可動接点３３、導電部８４および他方（右方）の接点用タブ端子６ｂへと、順次電流が流れる。すなわち、左右の電磁継電器本体４の接点３３，３４に対して並列に電流が流れる。このようにプリント基板５を介して並列回路を形成することで、接点通電容量を増加することができる。
【００４０】
図６では、一対のコイル２１（第１のコイル、第２のコイル）をコイル端子２５を介してプリント基板５に電気的に接続するとともに、一対のコイル用タブ端子６ａ（第１のコイル用端子部、第２のコイル用端子部）をプリント基板５に電気的に接続し、プリント基板５により一対のコイル２１を直列に接続するように回路を形成したが、回路構成はこれに限らない。
【００４１】
図９は、端子接続回路の変形例（図６の第３の変形例）を示す図である。図６と比較すると、図９では、一方のコイル用タブ端子６ａの一対の端子接続部５７ａが左右の端子接続部５１ａの間で右側の端子接続部５１ａに近接している。図９の導電部９３，９４，９６は、それぞれ図６の導電部６３，６４，６６と同様に形成されている。これに対し、導電部９１は、左側の電磁継電器本体４の左側のコイル端子２５が接続される端子接続部５１ａと右側の電磁継電器本体４の右側のコイル端子２５が接続される端子接続部５２ａとコイル用タブ端子６ａの端子接続部５８ａとを互いに接続し、導電部９５は、左側の電磁継電器本体４の右側のコイル端子２５が接続される端子接続部５１ａと右側の電磁継電器本体４の左側のコイル端子２５が接続される端子接続部５２ａとコイル用タブ端子６ａの端子接続部５７ａとを互いに接続するように形成されている。
【００４２】
これにより電磁継電器が作動状態になると、一方（例えば左方）のコイル用タブ端子６ａからプリント基板５の導電部９５、左右のコイル２１、導電部９１および他方（右方）のコイル用タブ端子６ａへと、順次電流が流れる。すなわち、左右のコイル２１に対して並列に電流が流れる。
【００４３】
なお、電磁継電器が非作動状態となった際のアーク放電を遮断するため、接点３３，３４の近傍に永久磁石を設けるようにしてもよい。図１０は、その一例を示す図である。図１０では、筐体２の底部に略矩形の一対の貫通孔２０８が開口され、各貫通孔２０８にそれぞれ永久磁石２０９が取り付けられている。このため、電磁継電器組立体１が筐体２に収容された状態では、図示のように各接点３３，３４の下方に永久磁石２０９が位置する。磁石２０９は、可動接点３３と固定接点３４とが対向する方向（前後方向）に対して垂直方向（上下方向）に磁力を発生する。これにより接点３３，３４間のアーク放電が遮断しやすくなる。
【００４４】
なお、以上の実施の形態では、一対の電磁継電器本体４を筐体２内に収容し、プリント基板５を介して電気的に接続するようにしたが、３つ以上の電磁継電器本体４をプリント基板５を介して電気的に接続するようにしてもよく、プリント基板５を介して接続される端子２５，３５，３６の本数は上述したものに限らない。ベース部１０の突起部１２を筐体２の貫通孔２０４に嵌入してベース部１０（ベース部材）を支持するようにしたが、支持部の構成はこれに限らない。すなわち本発明の特徴、機能を実現できる限り、本発明は実施の形態の電磁継電器に限定されない。
【符号の説明】
【００４５】
２    筐体
５    プリント基板
６ａ    コイル用タブ端子
６ｂ    接点用タブ端子
１０    ベース部
１２    突起部
２０    電磁石装置
２１    コイル
２３    電磁石
２４    接極子
２５    コイル端子
３０    接点部
３１    可動接点板部材
３２    固定接点板部材
３３    可動接点
３４    固定接点
３５    可動端子
３６    固定端子
２０４    貫通孔
２０９    永久磁石
【図１】
0005566172.tif 000002
【図２】
0005566172.tif 000003
【図３】
0005566172.tif 000004
【図４】
0005566172.tif 000005
【図５】
0005566172.tif 000006
【図６】
0005566172.tif 000007
【図７】
0005566172.tif 000008
【図８】
0005566172.tif 000009
【図９】
0005566172.tif 000010
【図１０】
0005566172.tif 000011